(57)【要約】      （修正有）【課題】移動先に応じて、ユーザにとって興味がある情報を表示することを可能とする周辺情報表示装置、方法及びプログラムを提供する。【解決手段】ユーザがいる位置周辺の周辺情報を表示する周辺情報表示装置１を、現在位置の位置情報を取得する位置情報取得手段１２、インターネットを利用した情報検索の結果である検索結果情報と、情報検索において検索結果情報に至る経過を示す検索経過情報と、位置情報とに基づき、現在位置周辺の情報である周辺情報を抽出する抽出手段１４、表示手段１６に周辺情報を表示させる制御を行う表示制御手段１５、として機能させる。【選択図】図３
2019125029.tif 000002
【特許請求の範囲】
【請求項１】
ユーザがいる位置周辺の周辺情報を表示する周辺情報表示装置を、
現在位置の位置情報を取得する位置情報取得手段、
インターネットを利用した情報検索の結果である検索結果情報と、情報検索において前記検索結果情報に至る経過を示す検索経過情報と、前記位置情報とに基づき、前記現在位置周辺の情報である周辺情報を抽出する抽出手段、
表示手段に前記周辺情報を表示させる制御を行う表示制御手段、として機能させるプログラム。
【請求項２】
前記表示制御手段は、前記表示手段に、ユーザの操作に応じて、前記検索経過情報を表示させる制御を行う請求項１に記載のプログラム。
【請求項３】
前記周辺情報表示装置を、さらに、
クレジットカードを利用したことを示す利用情報を取得する利用情報取得手段、として機能させ、
前記位置情報取得手段は、前記利用情報を取得したことを契機に、現在位置の位置情報を取得し、
前記抽出手段は、前記クレジットカードの利用履歴を示す利用履歴情報を参照し、さらに、前記利用情報に基づき、前記周辺情報を抽出する請求項１又は２に記載のプログラム。
【請求項４】
前記位置情報取得手段は、所定間隔で、前記位置情報を取得し、
前記抽出手段は、前記位置情報取得手段が前記位置情報を取得したことに応じて、前記周辺情報を抽出する請求項１から３のいずれかに記載のプログラム。
【請求項５】
前記周辺情報表示装置を、さらに、
移動速度を算出する移動速度算出手段、として機能させ、
前記抽出手段は、前記移動速度に応じた数の前記周辺情報を抽出し、
前記表示制御手段は、前記周辺情報の数に応じて、前記表示手段に前記周辺情報を表示させる態様を変化させる請求項１から４のいずれかに記載のプログラム。
【請求項６】
ユーザがいる位置周辺の周辺情報を表示する周辺情報表示装置に、ネットワークを介して接続された周辺情報抽出サーバであって、
前記周辺情報表示装置の現在位置の位置情報を、前記周辺情報表示装置から受信する受信手段と、
前記周辺情報表示装置における、インターネットを利用した情報検索の結果である検索結果情報と、情報検索において前記検索結果情報に至る経過を示す検索経過情報と、前記位置情報とに基づき、前記現在位置周辺の情報である周辺情報を抽出する抽出手段と、
前記周辺情報を、前記周辺情報表示装置に送信する送信手段と、を備える周辺情報抽出サーバ。
【請求項７】
ユーザがいる位置周辺の周辺情報を表示する周辺情報表示装置に、ネットワークを介して接続された周辺情報抽出サーバが実行する方法であって、
前記周辺情報表示装置の現在位置の位置情報を、前記周辺情報表示装置から受信するステップと、
前記周辺情報表示装置における、インターネットを利用した情報検索の結果である検索結果情報と、情報検索において前記検索結果情報に至る経過を示す検索経過情報と、前記位置情報とに基づき、前記現在位置周辺の情報である周辺情報を抽出するステップと、
前記周辺情報を、前記周辺情報表示装置に送信するステップと、を含む方法。
【発明の詳細な説明】
【技術分野】
【０００１】
本発明は、ユーザがいる位置周辺の周辺情報を表示する周辺情報表示装置、その方法及びプログラムに関する。
【背景技術】
【０００２】
従来、インターネットでは、様々な情報が提供されている。このため、ユーザは、インターネットを利用することで、所望の情報を得ることができる。ところが、近年、インターネットに氾濫する情報量が膨大になっており、ユーザが、このような膨大な量の情報から、所望の情報を得るのが困難になってきている。
【０００３】
このため、ユーザによる商品・サービスの購入履歴を蓄積しておくデータベースと、商品・サービス選択用のＷｅｂページを生成する際に上記購入履歴を参照し、当該ユーザの購入実績のある商品・サービスと同一のジャンルに属する商品・サービスを優先的に表示するＷｅｂページを生成する手段とを備えたショッピングシステムが開示されている（例えば、特許文献１）。
このようなショッピングシステムによれば、生成されたＷｅｂページにおいて、自己の興味のある分野に関する商品・サービス情報に迅速にアクセスすることが可能となる。
【先行技術文献】
【特許文献】
【０００４】
【特許文献１】特開２００４−４８６３５号公報
【発明の概要】
【発明が解決しようとする課題】
【０００５】
しかしながら、同じユーザであっても、自宅で所望する情報と、移動先で所望する情報とは異なる。例えば、特許文献１のショッピングシステムにより、自宅での日用品の購入履歴に属する商品に関する情報が表示されても、旅行先におけるユーザにとっては有用ではない。このため、移動先では、ユーザにとって興味がある周辺の情報が望まれる。
【０００６】
そこで本発明では、上記のような課題に鑑み、移動先に応じて、ユーザにとって興味がある情報を表示することが可能な周辺情報表示装置、その方法及びプログラムを提供することを目的とする。
【課題を解決するための手段】
【０００７】
上記課題を解決するため、本発明の依頼装置は、以下のような解決手段を提供する。
【０００８】
（１）本発明の第１の態様は、ユーザがいる位置周辺の周辺情報を表示する周辺情報表示装置を、現在位置の位置情報を取得する位置情報取得手段、インターネットを利用した情報検索の結果である検索結果情報と、情報検索において前記検索結果情報に至る経過を示す検索経過情報と、前記位置情報とに基づき、前記現在位置周辺の情報である周辺情報を抽出する抽出手段、表示手段に前記周辺情報を表示させる制御を行う表示制御手段、として機能させるプログラムである。
【０００９】
（２）また、本発明は、（１）のプログラムにおいて、前記表示制御手段は、前記表示手段に、ユーザの操作に応じて、前記検索経過情報を表示させる制御を行う。
【００１０】
（３）本発明は、（１）又は（２）のプログラムにおいて、前記周辺情報表示装置を、さらに、クレジットカードを利用したことを示す利用情報を取得する利用情報取得手段、として機能させ、前記位置情報取得手段は、前記利用情報を取得したことを契機に、現在位置の位置情報を取得し、前記抽出手段は、前記クレジットカードの利用履歴を示す利用履歴情報を参照し、さらに、前記利用情報に基づき、前記周辺情報を抽出する。
【００１１】
（４）本発明は、（１）から（３）のいずれかのプログラムにおいて、前記位置情報取得手段は、所定間隔で、前記位置情報を取得し、前記抽出手段は、前記位置情報取得手段が前記位置情報を取得したことに応じて、前記周辺情報を抽出する。
【００１２】
（５）本発明は、（１）から（４）のいずれかのプログラムにおいて、前記周辺情報表示装置を、さらに、移動速度を算出する移動速度算出手段、として機能させ、前記抽出手段は、前記移動速度に応じた数の前記周辺情報を抽出し、前記表示制御手段は、前記周辺情報の数に応じて、前記表示手段に前記周辺情報を表示させる態様を変化させる。
【００１３】
（６）本発明の第２の態様は、ユーザがいる位置周辺の周辺情報を表示する周辺情報表示装置に、ネットワークを介して接続された周辺情報抽出サーバであって、前記周辺情報表示装置の現在位置の位置情報を、前記周辺情報表示装置から受信する受信手段と、前記周辺情報表示装置における、インターネットを利用した情報検索の結果である検索結果情報と、情報検索において前記検索結果情報に至る経過を示す検索経過情報と、前記位置情報とに基づき、前記現在位置周辺の情報である周辺情報を抽出する抽出手段と、前記周辺情報を、前記周辺情報表示装置に送信する送信手段と、を備える周辺情報抽出サーバである。
【００１４】
（７）本発明の第３の態様は、ユーザがいる位置周辺の周辺情報を表示する周辺情報表示装置に、ネットワークを介して接続された周辺情報抽出サーバが実行する方法であって、前記周辺情報表示装置の現在位置の位置情報を、前記周辺情報表示装置から受信するステップと、前記周辺情報表示装置における、インターネットを利用した情報検索の結果である検索結果情報と、情報検索において前記検索結果情報に至る経過を示す検索経過情報と、前記位置情報とに基づき、前記現在位置周辺の情報である周辺情報を抽出するステップと、前記周辺情報を、前記周辺情報表示装置に送信するステップと、を含む方法である。
【発明の効果】
【００１５】
本発明によれば、移動先に応じて、ユーザにとって興味がある情報を表示することが可能な周辺情報表示装置、その方法及びプログラムを提供できる。
【図面の簡単な説明】
【００１６】
【図１】本発明が適用される周辺情報表示装置における周辺情報表示サービスの基本的な概念を説明する図である。
【図２】本発明が適用される周辺情報表示装置における周辺情報表示サービスの付加的な概念を説明する図である。
【図３】本発明の実施形態に係る周辺情報表示装置の機能構成を示す図である。
【図４】検索履歴情報ＤＢに格納されるデータを表形式で模式的に示す図である。
【図５】利用履歴情報ＤＢに格納されるデータを表形式で模式的に示す図である。
【図６】表示手段に表示される画像の表示例である。
【図７】表示手段に表示される画像の表示例である。
【図８】表示手段に表示される画像の表示例である。
【図９】表示手段に表示される画像の表示例である。
【図１０】本発明の実施形態に係る周辺情報表示装置が実行する周辺情報表示処理フローを示す図である。
【図１１】本発明の実施形態の変形例に係る周辺情報表示装置の機能構成を示す図である。
【図１２】本発明の実施形態の変形例に係る周辺情報抽出サーバが実行する周辺情報抽出処理フローを示す図である。
【発明を実施するための形態】
【００１７】
以下、添付図面を参照して、本発明を実施するための形態（以下、実施形態）について詳細に説明する。以降の図においては、実施形態の説明の全体を通して同じ要素には同じ番号又は符号を付している。また、機能構成の図において、機能ブロック間の矢印は、データの流れ方向、又は処理の流れ方向を表す。
【００１８】
（基本的な概念）
図１は、本発明が適用される周辺情報表示装置における周辺情報表示サービスの基本的な概念を説明する図である。周辺情報表示装置１は、ユーザがいる位置周辺の周辺情報を表示する。
【００１９】
周辺情報表示装置１は、例えば、ユーザにより操作されるスマートフォンで構成され、ユーザがいる位置周辺の周辺情報を表示する。
【００２０】
周辺情報表示装置１は、現在位置の位置情報を取得する。周辺情報表示装置１は、例えば、ＧＰＳ（Global  Positioning  stem, Global  Positioning  Satellite）機能により、周辺情報表示装置１の位置情報を取得してもよいし、ユーザにより入力された地名や住所を、位置情報として取得してもよい。
【００２１】
次に、周辺情報表示装置１は、インターネットを利用した情報検索の結果である検索結果情報（図１に示す例では「Ｋ飯店」）と、情報検索において検索結果情報に至る経過を示す検索経過情報（図１に示す例では検索キーワードである「金沢  おみやげ」、おみやげ情報サイトである「おみやナビ」のＷｅｂページ）と、取得した位置情報とに基づき、現在位置周辺の情報である周辺情報を抽出する。周辺情報表示装置１は、取得した位置情報に基づき、自らの記憶手段（データベース）に記憶された過去の検索結果情報と検索経過情報から、周辺情報を抽出してもよいし、ネットワークを介して接続された外部の装置の記憶手段（データベース）に記憶された、ユーザ自身や他人の過去の検索結果情報と検索経過情報から、周辺情報を抽出してもよい。
【００２２】
本実施形態において、「検索結果情報」とは、ユーザや、その他の者がアクセスしたＷｅｂページである。また、「検索経過情報」とは、この検索結果情報に至る経過を示す情報であり、検索ページに入力された検索キーワードや、この検索キーワードにより抽出された情報や、抽出された情報に含まれていた情報をまとめたサイトの名称やＵＲＬ（Uniform  Resource  Locator）が含まれる。
【００２３】
例えば、図１に示す例では、周辺情報表示装置１は、取得した位置情報（「金沢」）に基づき、この位置情報に関連する検索経過情報として、検索キーワード「金沢  おみやげ」や、おみやげ情報サイトである「おみやナビ」のＷｅｂページを示す情報を抽出する。そして、この検索経過情報により至った検索結果情報として、「Ｋ飯店」、「Ｋ亭」、「Ｋ庵」のＷｅｂページを示す情報を抽出し、この情報を周辺情報として抽出している。
【００２４】
周辺情報表示装置１は、抽出した周辺情報（「Ｋ飯店」、「Ｋ亭」、「Ｋ庵」を示す情報）を表示する。
【００２５】
例えば、一度訪れた地域に、再び訪れたときに、以前訪れたときにインターネットによる情報検索機能を利用して、この地域のおすすめスポットを検索し、今回、再びこのスポットに立ち寄りたい場合がある。このようなとき、ユーザは、このスポットの場所等を覚えていない場合、再び、インターネットによる情報検索機能を利用して、このスポットを検索することとなる。ところが、前回用いた検索キーワードを忘れていた場合、前回と同じ検索結果を得られず、前回立ち寄ったスポットに関する情報を見つけ出すのが困難になる。また、前回用いた検索キーワードと同じ検索キーワードで検索したとしても、時間経過等により、前回と同じ検索結果になるとは限らない。
【００２６】
周辺情報表示装置１によれば、現在位置と、過去の検索結果と、この検索結果に至る経過から、周辺情報を表示することが可能であるので、上記のような場合でも、ユーザが求める情報を表示できる。これにより、ユーザに対して、単に広告ではなく、その位置、過去の検索キーワードや、情報サイトや、検索結果により、これから先の行動に役立つ情報を提供できる。
【００２７】
（付加的な概念）
図２は、本発明が適用される周辺情報表示装置における周辺情報表示サービスの付加的な概念を説明する図である。周辺情報表示装置１は、ユーザがいる位置周辺の周辺情報を表示する。
【００２８】
周辺情報表示装置１は、例えば、ユーザにより操作されるスマートフォンで構成され、ユーザがクレジットカードを利用したことを示す利用情報を取得する。本実施形態において、利用情報は、ユーザがクレジットカードを利用して、料金を支払ったことを示す情報である。利用情報は、周辺情報表示装置１が記憶するクレジットカードに関する情報により、クレジットカードの加盟店において、請求額の支払いを完了した旨の情報等である。また、利用情報は、外部から受信した情報であってもよい。例えば、利用情報は、クレジットカードの決済を可能な者（例えば、クレジットカードを提供する会社等）により管理されている決済サーバから送信された、クレジットカードの加盟店からの請求額を決済した旨の情報や、加盟店により管理されている端末から送信された、クレジットカードにより支払いが完了した旨の情報や、電子マネーがチャージされたカードを提供する会社等に管理されている端末から、当該カードにクレジットカードを利用して電子マネーがチャージされた旨の情報でもよい。また、利用情報には、クレジットカードを利用して支払いを完了した加盟店や、支払った金額を示す情報が含まれているのが望ましい。
【００２９】
次に、周辺情報表示装置１は、利用情報を取得したことを契機に、現在位置の位置情報を取得する。周辺情報表示装置１は、例えば、ＧＰＳ機能により、周辺情報表示装置１の位置情報を取得してもよいし、クレジットカードを利用して支払いをした加盟店の所在地を示す情報を、位置情報として取得してもよい。
【００３０】
次に、周辺情報表示装置１は、クレジットカードの利用履歴を示す利用履歴情報を参照し、利用情報と位置情報とに基づき、現在位置周辺の情報であって、利用履歴に関連する周辺情報を抽出する。周辺情報表示装置１は、利用履歴情報を自らデータベースに記憶していてもよいし、ネットワークを介して接続された外部の装置（例えば、上記決済サーバ）から、ユーザの利用履歴情報を受信してもよい。また、周辺情報表示装置１は、自ら記憶するデータベースから、周辺情報を抽出してもよいし、ネットワークを介して接続された外部の装置から、周辺情報を抽出してもよい。
【００３１】
本実施形態において、利用履歴に関連する周辺情報とは、例えば、利用履歴情報に含まれている加盟店を示す情報や、当該加盟店の属性と同じ又は類似する属性に含まれる他の加盟店を示す情報である。
【００３２】
また、周辺情報表示装置１は、利用情報に含まれている加盟店を示す情報から、当該加盟店とは異なる属性の周辺情報を抽出する。
【００３３】
例えば、図２に示す例では、周辺情報表示装置１は、利用情報に含まれる加盟店を示す情報は、「金沢レストラン」であり、この加盟店の属性は飲食店である。そして、周辺情報表示装置１は、この属性（お食事）とは異なる属性（おみやげ）に含まれ、利用履歴情報に含まれている加盟店（「Ｋ飯店」）や、当該加盟店の属性（おみやげ）と同じ又は類似する属性に含まれる他の加盟店（「Ｋ亭」、「Ｋ庵」）を示す情報を周辺情報として抽出している。
【００３４】
周辺情報表示装置１は、抽出した周辺情報（「Ｋ飯店」、「Ｋ亭」、「Ｋ庵」を示す情報）を表示する。
【００３５】
ここで、近年、スマートフォンにより、クレジットカードを利用した決済が可能となっている。このため、ユーザは、スマートフォンを手に持っていれば、各種の料金の支払い、各種の情報を得ることが可能となっている。
【００３６】
周辺情報表示装置１によれば、クレジットカードを利用したことを示す利用情報を取得することで、現在位置の位置情報を取得し、利用履歴情報を参照し、利用情報と、位置情報とに基づき、現在位置周辺の情報であって、利用履歴に関連する周辺情報を抽出して、表示する。これにより、ユーザは、例えば、クレジットカードで支払いをすると、現在位置周辺における利用履歴に基づく周辺情報を得ることが可能となる。したがって、ユーザにとって興味がある情報を表示することが可能となる。
【００３７】
（機能構成）
図３は、本発明の実施形態に係る周辺情報表示装置の機能構成を示す図である。周辺情報表示装置１は、利用情報取得手段１１と、位置情報取得手段１２と、移動速度算出手段１３と、抽出手段１４と、表示制御手段１５と、表示手段１６と、検索履歴情報記憶手段の一例である検索履歴情報データベース（以下、検索履歴情報ＤＢ）２０と、利用履歴情報記憶手段の一例である利用履歴情報データベース（以下、利用履歴情報ＤＢ）３０と、を備え、ユーザがいる位置周辺の周辺情報を表示する。周辺情報表示装置１は、ユーザに適した機器（例えば、携帯端末、スマートフォン、タブレット端末、パーソナルコンピュータ、ゲーム機器等）で構成されている。周辺情報表示装置１は、は、上記のような機器そのものであってもよいし、上記の複数の機器とローカルネットワークを介して、情報交信可能な制御機器であってもよい。また、周辺情報表示装置１は、加盟店等に設置され、ユーザが操作可能な端末であってもよい。
【００３８】
利用情報取得手段１１は、クレジットカードを利用したことを示す利用情報を取得する。利用情報には、クレジットカードを利用して支払いをした加盟店に関する加盟店情報（加盟店名を示す情報や、加盟店の画像情報等）、クレジットカードを利用した日時を示す利用日時情報等が含まれている。利用情報取得手段１１は、取得した利用情報に、加盟店情報に基づき分類した属性を示す属性情報と、位置情報取得手段１２が取得した位置情報とを対応付けて、利用履歴情報ＤＢ３０に記憶する。属性情報は、加盟店情報に含まれていてもよいし、外部サーバ（クレジットカードを提供する会社等が管理するサーバ）から取得してもよいし、周辺情報表示装置１があらかじめ記憶しているキーワードと属性を対応付けたテーブルを参照して、加盟店名から分類してもよい。なお、周辺情報表示装置１において、クレジットカードを利用しない場合には、利用情報取得手段１１を、省略してもよい。
【００３９】
位置情報取得手段１２は、現在位置の位置情報を取得する。位置情報取得手段１２は、周辺情報表示装置１が備えるＧＰＳ機能により、周辺情報表示装置１の位置情報（例えば、緯度・経度）を取得する。位置情報は、ＧＰＳ機能により取得した緯度・経度を示す情報に基づき、例えば、外部サーバを参照して取得した住所や、市町村名を示す情報であってもよい。
また、位置情報取得手段１２は、所定間隔（例えば、１０分間隔等）で、位置情報を取得する。
【００４０】
位置情報取得手段１２は、任意のタイミングで、位置情報を取得してもよいが、周辺情報表示装置１が利用情報取得手段１１を備える場合には、利用情報取得手段１１が利用情報を取得したことを契機に、現在位置の位置情報を取得するのが望ましい。
【００４１】
移動速度算出手段１３は、移動速度を算出する。具体的には、移動速度算出手段１３は、ある時点で位置情報取得手段１２が取得した位置情報と、所定間隔後の次の時点で位置情報取得手段１２が取得した位置情報と、から移動距離を算出し、算出した移動距離を所定間隔の時間（例えば、１０分等）で割ることで、移動速度を算出する。
【００４２】
抽出手段１４は、検索履歴情報ＤＢ２０に記憶されたインターネットを利用した情報検索の結果である検索結果情報と、情報検索において検索結果情報に至る経過を示す検索経過情報と、位置情報取得手段１２が取得した位置情報とに基づき、現在位置周辺の情報である周辺情報を抽出する。
【００４３】
図４は、検索履歴情報ＤＢに格納されるデータを表形式で模式的に示す図である。検索履歴情報ＤＢ２０は、インターネットを利用した情報検索が行われた日時を示す検索日時情報に、検索結果情報と、この検索結果情報に至る経過を示す検索経過情報とが対応付けられている。
図４に示す例において、検索経過情報には、情報検索のＷｅｂページに入力されたキーワード、このキーワードにより検索された表示結果の中から選択され遷移した検索経路情報（例えば、所定の情報をまとめたＷｅｂページのＵＲＬ）が含まれる。
また、図４に示す例において、１つの検索結果情報に複数の検索結果情報が対応付けられている。これは、同じ検索経路情報から、複数の検索結果情報に至ったことを示している。具体的には、「ｇ−ナビ」から「金沢レストラン」のＷｅｂページに、２０１５／８／１の１２：１５に至った後、「ｇ−ナビ」に戻り、今度は「兼六レストラン」に、２０１５／８／１の１２：２０に至ったことを示している。また、検索結果情報には、検索により至ったＷｅｂページのＵＲＬ（図４に示す例では、例えば、「金沢レストラン」のＷｅｂページのＵＲＬ）のみならず、当該Ｗｅｂページで表示された店舗等の位置情報を含んでいてもよい。この場合、抽出手段１４により、周辺情報としてこの検索結果情報が抽出された場合、表示制御手段１５は、位置情報取得手段１２が取得した現在位置の位置情報と、検索結果情報に含まれた店舗等の位置情報とに基づき、現在位置から当該店舗等までのルートを、表示手段１６に表示してもよい。
【００４４】
このような検索履歴情報ＤＢ２０は、周辺情報表示装置１自体でなく、外部の装置に記憶され、この外部の装置に周辺情報表示装置１がアクセスし、抽出手段１４が周辺情報を抽出してもよい。また、検索履歴情報ＤＢ２０は、ユーザ自身の検索履歴に限らず、他者の検索履歴でもよい。また、抽出手段１４が抽出する検索結果情報は、店舗等の情報に限らず、写真映えする場所に関する情報等のユーザが過去に検索した履歴に基づく、ユーザにとって有用な情報であれば、任意の種類の情報でよい。
【００４５】
また、抽出手段１４は、周辺情報表示装置１が利用情報取得手段１１を備える場合には、利用履歴情報ＤＢ３０に記憶されたクレジットカードの利用履歴を示す利用履歴情報を参照し、利用情報取得手段１１が取得した利用情報と位置情報取得手段１２が取得した位置情報とに基づき、現在位置周辺の情報であって、利用履歴に関連する周辺情報を抽出する。
【００４６】
図５は、利用履歴情報ＤＢに格納されるデータを表形式で模式的に示す図である。利用履歴情報ＤＢ３０は、加盟店情報と利用日時情報とが含まれる利用情報に、属性情報と、位置情報とが対応付けられている。なお、図５に示す例では、加盟店情報として、加盟店名を示す情報しか示していないが、加盟店情報には加盟店の画像情報が含まれていてもよい。また、図５に示す例では、利用情報として地名を示しているが、緯度・経度を示す情報や、地図を表示するＷｅｂページのアドレスでもよい。
【００４７】
このような利用履歴情報ＤＢ３０は、周辺情報表示装置１自体でなく、外部の装置に記憶され、この外部の装置に周辺情報表示装置１がアクセスし、抽出手段１４が周辺情報を抽出してもよい。
【００４８】
図３に戻って、また、抽出手段１４は、位置情報取得手段１２が位置情報を取得したことに応じて、周辺情報を抽出する。すなわち、抽出手段１４は、所定間隔（例えば、１０分間隔等）で、周辺情報を抽出する。
【００４９】
また、抽出手段１４は、移動速度算出手段１３が算出した移動速度に応じた数の周辺情報を抽出する。詳細には、抽出手段１４は、移動速度算出手段１３が算出した移動速度が、所定速度（例えば、時速３０ｋｍ）以下である場合又は利用情報取得手段１１が利用情報を取得した直後（位置情報が１つしかなく、移動速度算出手段１３が移動速度を算出できない場合）には所定の基準数（例えば、３つ）の周辺情報を抽出し、移動速度が、所定速度を超えた場合には基準数より多い数（例えば、５つ）の周辺情報を抽出する。
【００５０】
また、抽出手段１４は、周辺情報の他に、位置情報取得手段１２が取得した位置情報に基づき、必要に応じて外部サーバを参照して、当該位置情報が示す位置の天候を示す天候情報や、交通機関の運行状況を示す交通情報や、ユーザに有用な情報（例えば、位置情報が海外を示していた場合には、現地サービススポット、大使館情報、海外渡航情報、翻訳サービスの情報等）を抽出してもよい。
【００５１】
また、抽出手段１４は、周辺情報表示装置１にあらかじめ記憶されているユーザの住所と、位置情報取得手段１２が取得した位置情報が、所定距離（例えば、５０ｋｍ等）以上離れていた場合には、通常の周辺情報の他に、特別情報を抽出してもよい。特別情報は、例えば、クレジットカードに付帯する旅行保険に関する情報等である。また、抽出手段１４は、例えば、ユーザと同行する人数に関する人数情報を取得した場合に、人数情報に応じた種類や数の周辺情報を抽出してもよい。
【００５２】
表示制御手段１５は、表示手段１６に、抽出手段１４が抽出した周辺情報を表示させる制御を行う。また、表示制御手段１５は、ユーザの操作に応じて、表示手段１６に、抽出手段１４が抽出した周辺情報の基となった検索経過情報を表示させる制御を行う。また、表示制御手段１５は、抽出手段１４が抽出した周辺情報の数に応じて、表示手段１６に周辺情報を表示させる態様を変化させる。
【００５３】
表示手段１６は、例えば、タッチパネルで構成され、表示制御手段１５の制御により、利用情報や、周辺情報等を表示するとともに、ユーザによる各種操作（例えば、周辺情報を選択する操作等）を受け付ける。
【００５４】
図６から図９は、表示手段に表示される画像の表示例である。
表示制御手段１５は、利用情報取得手段１１が利用情報を取得し、位置情報取得手段１２が位置情報を取得した場合、表示手段１６に、自動的に、図６に示す、ユーザがいる位置（位置情報が示す位置）周辺の周辺情報を表示するためのトップページを表示する。トップページには、ユーザがいる位置（位置情報が示す位置）の地名（図６に示す例では「金沢」）や、一般的な情報（図６に示す例では「天気予報」や「あなたにおススメ」）や、ユーザの趣向に沿った属性情報（利用履歴情報ＤＢ３０（図５参照）に記憶されている属性情報（図６に示す例では「お食事」や「おみやげ」や「施設・名所」））を選択操作可能なボタンが表示される。なお、トップページを省略し、図７に示す、ユーザの趣向に沿った属性の周辺情報ページを表示してもよい。また、周辺情報表示装置１が利用情報取得手段１１を備えない場合には、表示制御手段１５は、ユーザの任意の操作により、トップページを表示する。
【００５５】
また、抽出手段１４は、位置情報取得手段１２が位置情報を取得した場合、検索履歴情報ＤＢ２０（図４参照）を参照して、位置情報取得手段１２が取得した位置情報（例えば、「金沢」）に基づき、この位置情報に関連する検索経過情報として、検索キーワード「金沢  おみやげ」や、おみやげ情報サイトである「おみやナビ」のＷｅｂページを示す情報を抽出する。そして、この検索経過情報により至った検索結果情報として、「Ｋ飯店」、「Ｋ亭」、「Ｋ庵」のＷｅｂページを示す情報を抽出し、この情報を周辺情報として抽出する。
【００５６】
また、抽出手段１４は、利用情報取得手段１１が利用情報を取得し、位置情報取得手段１２が位置情報を取得した場合、利用履歴情報ＤＢ３０（図５参照）を参照して、利用情報に含まれる加盟店情報以外（図５に示す例では、利用情報に含まれる加盟店情報が「金沢レストラン」であれば、「金沢レストラン」以外）であって、位置情報取得手段１２が取得した位置情報が示す位置から所定範囲内の位置情報が対応付けられている加盟店情報を抽出する。この場合、抽出手段１４は、属性情報ごとに基準数（例えば、３つ）の周辺情報を抽出する。抽出手段１４は、検索履歴情報ＤＢ２０（図４参照）を参照して抽出した複数の周辺情報と、利用履歴情報ＤＢ３０（図５参照）を参照して抽出した周辺情報とに優先順位を付けてもよい。この場合、表示制御手段１５は、抽出手段１４による優先順位が高い順番で、周辺情報を表示手段１６に表示する。
【００５７】
そして、例えば、図６に示すトップページにおいて、「おみやげ」のボタンがユーザにより選択される操作がされた場合、表示制御手段１５は、図７に示す、ユーザに選択された属性の周辺情報ページを、表示手段１６に表示する。詳細には、表示制御手段１５は、周辺情報ページにおいて、抽出手段１４が抽出した数（例えば、３つ）の周辺情報（図７に示す例では「Ｋ飯店」、「Ｋ亭」、「Ｋ庵」）を、表示手段１６に表示する。この場合、表示制御手段１５は、各周辺情報として、加盟店名を示す情報、加盟店の画像情報、加盟店の位置を地図に表示するＷｅｂページのアドレスのリンクボタンを、表示手段１６に表示する。
【００５８】
また、表示制御手段１５は、抽出手段１４が抽出した周辺情報の検索経過情報を、ユーザの操作に応じて表示させるための操作部（図７に示す「金沢  おみやげ」、「おみやナビ」が表示されたボタン）と、検索経過情報の検索日時情報（図７に示す「２０１５／８／１  １２：１５」）とを、検索結果情報（図７に示す「Ｋ飯店」）に対応付けて表示する。
【００５９】
また、表示制御手段１５は、例えば、１つの検索経過情報に、複数の検索結果情報が対応付けられている場合には、図８に示すように、１つの検索経過情報（図８に示す「金沢  おみやげ」、「おみやナビ」が表示されたボタン）及び検索経過情報の検索日時情報（図７に示す「２０１５／８／１  １２：１５」）に、複数の検索結果情報（図８に示す「Ｋ飯店」、「Ｋ亭」、「Ｋ庵」）を対応付けて表示してもよい。また、図８に示すように、表示制御手段１５は、例えば、抽出手段１４が、利用履歴情報ＤＢ３０（図５参照）を参照して抽出した加盟店の情報（図８に示す「Ｋ飯店」）に対しては、以前に利用したことを示す利用履歴有り表示（図８に示す「ご利用店」）を表示し、検索履歴情報ＤＢ２０（図４参照）のみを参照して抽出した検索結果情報（図８に示す「Ｋ亭」、「Ｋ庵」）に対しては、過去にＷｅｂページを閲覧したことを示す閲覧履歴有り表示（図８に示す「過去閲覧」）を表示してもよい。
【００６０】
また、図７に示す「お勧め」や図８に示す「過去閲覧」は、抽出手段１４が、ユーザ自身の検索履歴（検索経過情報や検索結果情報）が記憶された検索履歴情報ＤＢ２０（図４参照）を参照して抽出した周辺情報であるが、これに限らず、例えば、外部の装置から受信した他の者の検索履歴（検索経過情報や検索結果情報）を参照して抽出した周辺情報であってもよい。
この場合、表示制御手段１５は、例えば、他の人の検索経過情報も参照可能なので参照することを促す「みんなの検索」ボタンを、表示手段１６に表示する。そして、ユーザにより、この「みんなの検索」ボタンが操作された場合には、表示制御手段１５は、外部の装置から受信した他の者の検索経過情報を、表示手段１６に表示する。
さらにまた、表示制御手段１５は、例えば、「登録」ボタンを、表示手段１６に表示してもよい。そして、ユーザにより、この「登録」ボタンが操作された場合には、この他の者の検索経過情報を登録し、登録された他の者の検索経過情報を、ユーザ自身の検索経過情報に準じ（登録されていない他の者の検索経過情報より優先して）、表示手段１６に表示してもよい。
また、このような他の者の検索経過情報や検索結果情報は、ユーザ自身の検索経過情報や検索結果情報とともに表示してもよいし、ユーザ自身の検索経過情報や検索結果情報が無い場合（例えば、位置情報取得手段１２が取得した位置情報に関連する検索経過情報や検索結果情報が無い場合等）に表示してもよい。
このように、他の者の検索経過情報を表示することで、ユーザは、同じ地（街等）に降り立っても自分はこんな言葉でしか検索をしていなかったけれど、他の者はこんな言葉で情報検索をしていたのかと気づくことができる。その結果、降り立った地（街等）の新しい一面を知ることとなり、カード利用を促進することも可能となる。
【００６１】
また、例えば、ユーザが車両で移動し、移動速度算出手段１３が算出した移動速度が、所定速度を超えた場合、抽出手段１４は、属性情報ごとに、基準数より多い数（例えば、５つ）の周辺情報を抽出する。この場合、表示制御手段１５は、図９に示す、図７に示す表示態様と異なる周辺情報ページを、表示手段１６に表示する。詳細には、表示制御手段１５は、周辺情報ページにおいて、抽出手段１４が抽出した数（例えば、５つ）の周辺情報（図７に示す例では「Ｋ亭」、「Ｋデパート」、「Ｋ所」、「Ｋ屋」、「Ｋポート」）を、表示手段１６に表示する。この場合、表示制御手段１５は、各周辺情報として、加盟店名を示す情報を選択するボタンのみを、表示手段１６に表示する。なお、図７に示す「Ｋ飯店」と「Ｋ庵」は、位置情報取得手段１２が取得した位置情報が示す位置から所定範囲外となり、抽出手段１４に抽出されなかったため、図９に示す例では表示されていない。
【００６２】
本実施形態及び後述する変形例のシステムの機能構成は、あくまで一例であり、一つの機能ブロック（データベース及び機能処理部）を分割したり、複数の機能ブロックをまとめて一つの機能ブロックとして構成したりしてもよい。各機能処理部は、装置に内蔵されたＣＰＵ（Central  Processing  Unit）が、ＲＯＭ（Read  On  Memory）、フラッシュメモリ、ＳＳＤ(Solid  State  Drive)、ハードディスク等の記憶装置に格納されたコンピュータ・プログラム（例えば、基幹ソフトや上述の各種処理をＣＰＵに実行させるアプリ等）を読み出し、ＣＰＵにより実行されたコンピュータ・プログラムによって実現される。すなわち、各機能処理部は、このコンピュータ・プログラムが、記憶装置に格納されたデータベース（ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００６３】
また、上記の説明では、周辺情報表示装置１をスマートフォンで構成した例を説明したが、周辺情報表示装置１を、クレジットカードを提供する会社等により管理されている決済サーバで構成してもよい。この場合、周辺情報表示装置１は、利用情報取得手段１１と、位置情報取得手段１２と、抽出手段１４と、表示制御手段１５と、利用履歴情報ＤＢ３０と、を備え、ユーザが操作するユーザ端末（例えば、スマートフォン）の表示手段に、周辺情報を表示可能とする。具体的には、決済サーバで構成した周辺情報表示装置１は、ユーザ端末によりアクセス可能なＷｅｂページを生成する。周辺情報表示装置１は、このＷｅｂページにおいて、図６から図９に示すように、周辺情報を表示する。
【００６４】
また、周辺情報表示装置１を決済サーバで構成した場合、利用情報取得手段１１は、クレジットカードを利用したこと（クレジットカードによる決済をしたこと）を示す利用情報を取得し、利用履歴情報ＤＢ３０に記憶する。位置情報取得手段１２は、利用情報を取得したことを契機に、ユーザ端末から、ユーザ端末の現在位置の位置情報を取得する。抽出手段１４は、利用履歴情報ＤＢ３０に記憶された利用履歴情報を参照し、利用情報と位置情報とに基づき、ユーザ端末の現在位置周辺の情報であって、利用履歴に関連する周辺情報を抽出する。表示制御手段１５は、ユーザ端末の表示手段に周辺情報を表示させるためのＷｅｂページを生成する制御を行う。
【００６５】
また、周辺情報表示装置１を決済サーバで構成した場合、周辺情報表示装置１は、クレジットカードによる決済が完了したことを契機に、ユーザ端末に、周辺情報を表示するＷｅｂページのアドレスを、電子メールや、ＳＮＳ（Social  Networking  Service）等により通知してもよい。
【００６６】
（処理フロー）
以降の処理フロー図（フローチャート）においては、各ステップの入力と出力の関係を損なわない限り、各ステップの処理順序を入れ替えてもよい。図１０は、本発明の実施形態に係る周辺情報表示装置が実行する周辺情報表示処理フローを示す図である。
【００６７】
ステップＳ１において、利用情報取得手段１１は、クレジットカードを利用したことを示す利用情報を取得する。
【００６８】
ステップＳ２において、位置情報取得手段１２は、利用情報を取得したことを契機に、現在位置の位置情報を取得する。利用情報取得手段１１は、ステップＳ１で取得した利用情報に、属性情報と、本ステップにおいて位置情報取得手段１２が取得した位置情報とを対応付けて、利用履歴情報ＤＢ３０に記憶する。
【００６９】
ステップＳ３において、移動速度算出手段１３は、ステップＳ１２で位置情報取得手段１２が取得した位置情報に基づき、移動速度を算出する。
【００７０】
ステップＳ４において、抽出手段１４は、検索履歴情報ＤＢ２０に記憶されたインターネットを利用した情報検索の結果である検索結果情報と、情報検索において検索結果情報に至る経過を示す検索経過情報と、ステップＳ２で位置情報取得手段１２が取得した位置情報とに基づき、現在位置周辺の情報である周辺情報を抽出する。また、抽出手段１４は、利用履歴情報ＤＢ３０に記憶されたクレジットカードの利用履歴を示す利用履歴情報を参照し、ステップＳ１で利用情報取得手段１１が取得した利用情報と、ステップＳ２で位置情報取得手段１２が取得した位置情報とに基づき、現在位置周辺の情報であって、利用履歴に関連する周辺情報を抽出する。また、抽出手段１４は、ステップＳ３で移動速度算出手段１３が算出した移動速度に応じた数の周辺情報を抽出する。
【００７１】
ステップＳ５において、表示制御手段１５は、表示手段１６に、ステップＳ４で抽出手段１４が抽出した周辺情報を表示させる制御を行う。また、表示制御手段１５は、ステップＳ４で抽出手段１４が抽出した周辺情報の数に応じて、表示手段１６に周辺情報を表示させる態様を変化させる。
【００７２】
（変形例）
図１１は、本発明の実施形態の変形例に係る周辺情報抽出システムの機能構成を示す図である。
変形例に係る周辺情報抽出システム１０は、ユーザがいる位置周辺の周辺情報を表示する周辺情報表示装置１Ａと、周辺情報表示装置１Ａに、ネットワークを介して接続された周辺情報抽出サーバ１００と、を備える。
【００７３】
変形例に係る周辺情報抽出システム１は、周辺情報抽出サーバ１００が、周辺情報を抽出し、抽出した周辺情報を、周辺情報表示装置１Ａに送信し、周辺情報表示装置１Ａにおいて周辺情報を表示する点が、本実施形態と異なる。
【００７４】
（周辺情報抽出サーバ１００の機能構成）
周辺情報抽出サーバ１００は、受信手段１１０と、移動速度算出手段１３０と、抽出手段１４０と、送信手段１５０と、検索履歴情報ＤＢ２０と、利用履歴情報ＤＢ３０と、を備える。
【００７５】
受信手段１１０は、周辺情報表示装置１Ａから、クレジットカードを利用したことを示す利用情報、周辺情報表示装置１Ａの現在位置の位置情報、検索経路情報及び検索結果情報等を受信する。
また、受信手段１１０は、所定間隔（例えば、１０分間隔等）で、周辺情報表示装置１Ａから、位置情報を受信する。
また、受信手段１１０は、周辺情報表示装置１Ａから受信した、利用情報を利用履歴情報ＤＢ３０に記憶し、検索経路情報及び検索結果情報を検索履歴情報ＤＢ２０に記憶する。
【００７６】
受信手段１１０は、任意のタイミングで、位置情報を受信してもよいが、利用情報を受信した場合には、利用情報を受信したことを契機に、現在位置の位置情報を受信するのが望ましい。
【００７７】
移動速度算出手段１３０は、本実施形態の移動速度算出手段１３と同様の機能構成であり、周辺情報表示装置１Ａの移動速度を算出する。具体的には、移動速度算出手段１３０は、ある時点で受信手段１１０が受信した位置情報と、所定間隔後の次の時点で受信手段１１０が受信した位置情報と、から移動距離を算出し、算出した移動距離を所定間隔の時間（例えば、１０分等）で割ることで、周辺情報表示装置１Ａの移動速度を算出する。
【００７８】
抽出手段１４０は、本実施形態の抽出手段１４と同様の機能構成であり、検索履歴情報ＤＢ２０（図４参照）に記憶されたインターネットを利用した情報検索の結果である検索結果情報と、情報検索において検索結果情報に至る経過を示す検索経過情報と、受信手段１１０が受信した位置情報とに基づき、現在位置周辺の情報である周辺情報を抽出する。
【００７９】
また、抽出手段１４０は、受信手段１１０が利用情報を受信した場合には、利用履歴情報ＤＢ３０（図５参照）に記憶されたクレジットカードの利用履歴を示す利用履歴情報を参照し、受信手段１１０が受信した利用情報と位置情報とに基づき、周辺情報表示装置１Ａの現在位置周辺の情報であって、利用履歴に関連する周辺情報を抽出する。
【００８０】
また、抽出手段１４０は、受信手段１１０が位置情報を取得したことに応じて、周辺情報を抽出する。すなわち、抽出手段１４０は、所定間隔（例えば、１０分間隔等）で、周辺情報を抽出する。
【００８１】
また、抽出手段１４０は、移動速度算出手段１３０が算出した移動速度に応じた数の周辺情報を抽出する。詳細には、抽出手段１４０は、移動速度算出手段１３０が算出した移動速度が、所定速度（例えば、時速３０ｋｍ）以下である場合又は受信手段１１０が利用情報を受信した直後（位置情報が１つしかなく、移動速度算出手段１３０が移動速度を算出できない場合）には所定の基準数（例えば、３つ）の周辺情報を抽出し、移動速度が、所定速度を超えた場合には基準数より多い数（例えば、５つ）の周辺情報を抽出する。
ここで、抽出手段１４０が抽出する周辺情報の数を、移動速度が所定速度以下又は算出できない場合に３つ、所定速度以上の場合に５つと例示したが、抽出手段１４０は、移動速度が所定速度より遅いときにより多く抽出し、移動速度が所定速度より速いときにより少なく抽出するようにしてもよい。
【００８２】
また、抽出手段１４０は、周辺情報の他に、受信手段１１０が受信した位置情報に基づき、必要に応じて外部サーバを参照して、当該位置情報が示す位置の天候を示す天候情報や、交通機関の運行状況を示す交通情報や、ユーザに有用な情報（例えば、位置情報が海外を示していた場合には、現地サービススポット、大使館情報、海外渡航情報、翻訳サービスの情報等）を抽出してもよい。
【００８３】
また、抽出手段１４０は、あらかじめ記憶されているユーザの住所と、受信手段１１０が受信した位置情報が、所定距離（例えば、５０ｋｍ等）以上離れていた場合には、通常の周辺情報の他に、特別情報を抽出してもよい。特別情報は、例えば、クレジットカードに付帯する旅行保険に関する情報等である。また、抽出手段１４０は、例えば、ユーザと同行する人数に関する人数情報を取得した場合に、人数情報に応じた種類や数の周辺情報を抽出してもよい。
【００８４】
送信手段１５０は、抽出手段１４０が抽出した周辺情報を、周辺情報表示装置１Ａにおいて表示可能な情報として、周辺情報表示装置１Ａに送信する。
【００８５】
（周辺情報表示装置１Ａの機能構成）
周辺情報表示装置１Ａは、移動速度算出手段１３（図３参照）及び抽出手段１４（図３参照）を備えず、表示装置送信手段１７及び表示装置受信手段１８を備える点が、本実施形態の周辺情報表示装置１（図３参照）と異なる。
【００８６】
表示装置送信手段１７は、利用情報取得手段１１が取得した利用情報、位置情報取得手段１２が取得した現在位置の位置情報、インターネットを利用した情報検索における検索経過情報及び検索結果情報等を、周辺情報抽出サーバ１００に送信する。
【００８７】
表示装置受信手段１８は、周辺情報抽出サーバ１００が抽出した周辺情報を受信する。この場合、表示制御手段１５は、表示手段１６に、表示装置受信手段１８が受信した周辺情報を、図７及び図８に例示するような態様で表示させる制御を行う。
【００８８】
（変形例の処理フロー）
以降の処理フロー図（フローチャート）においては、各ステップの入力と出力の関係を損なわない限り、各ステップの処理順序を入れ替えてもよい。図１２は、本発明の実施形態の変形例に係る周辺情報抽出サーバが実行する周辺情報抽出処理フローを示す図である。
【００８９】
ステップＳ１１において、受信手段１１０は、周辺情報表示装置１Ａから、周辺情報表示装置１Ａの現在位置の位置情報を受信する。例えば、受信手段１１０は、所定間隔で、周辺情報表示装置１Ａから、位置情報を受信する。
【００９０】
ステップＳ１２において、移動速度算出手段１３０は、ステップＳ１１で受信手段１１０が受信した位置情報に基づき、周辺情報表示装置１Ａの移動速度を算出する。
【００９１】
ステップＳ１３において、抽出手段１４０は、検索履歴情報ＤＢ２０に記憶されたインターネットを利用した情報検索の結果である検索結果情報と、情報検索において検索結果情報に至る経過を示す検索経過情報と、ステップＳ１１で受信手段１１０が受信した位置情報とに基づき、周辺情報表示装置１Ａの現在位置周辺の情報である周辺情報を抽出する。また、抽出手段１４は、ステップＳ１２で移動速度算出手段１３０が算出した周辺情報表示装置１Ａの移動速度に応じた数の周辺情報を抽出する。
【００９２】
ステップＳ１４において、送信手段１５０は、抽出手段１４０が抽出した周辺情報を、周辺情報表示装置１Ａにおいて表示可能な情報として、周辺情報表示装置１Ａに送信する。この周辺情報を受信した周辺情報表示装置１Ａは、表示制御手段１５により、表示手段１６に、受信した周辺情報を表示させる制御を行う。また、表示制御手段１５は、受信した周辺情報の数に応じて、表示手段１６に周辺情報を表示させる態様を変化させる。
【００９３】
なお、変形例において、抽出手段１４０は、本実施形態で説明した他の者の検索経過情報や検索結果情報を参照してもよい。この場合、他の者の検索経過情報や検索結果情報は、外部の装置に限らず、周辺情報抽出サーバ１００（例えば、検索履歴情報ＤＢ２０等）に記憶されていてもよい。
【００９４】
（実施形態及び変形例の効果）
本実施形態及び変形例によれば、現在位置と、過去の検索結果と、この検索結果に至る経過から、周辺情報を表示することが可能であるので、一度訪れた地域のスポットの行き方等を忘れた場合でも、ユーザが求める情報を表示できる。これにより、ユーザに対して、単に広告ではなく、その位置、過去の検索キーワードや、情報サイトや、検索結果により、これから先の行動に役立つ情報を提供できる。したがって、移動先に応じて、ユーザにとって興味がある情報を表示することを可能となる。
【００９５】
また、クレジットカードを利用したことを示す利用情報を取得することで、現在位置の位置情報を取得し、利用履歴情報を参照し、利用情報と、位置情報とに基づき、現在位置周辺の情報であって、利用履歴に関連する周辺情報を抽出して、表示する。これにより、ユーザは、例えば、クレジットカードで支払いをすると、現在位置周辺における利用履歴に基づく周辺情報を得ることが可能となる。したがって、ユーザにとって興味がある情報を表示することが可能となる。
【００９６】
また、周辺情報表示装置１（周辺情報抽出システム１０）は、位置情報取得手段１２が、所定間隔で、位置情報を取得し、抽出手段１４（抽出手段１４０）が、位置情報取得手段１２が位置情報を取得したことに応じて、周辺情報を抽出する。これにより、ユーザが移動した場合、周辺情報を移動先に応じた情報に更新できるので、ユーザにとって、より有用な情報を表示することが可能となる。
【００９７】
また、周辺情報表示装置１（周辺情報抽出システム１０）は、抽出手段１４（抽出手段１４０）が、移動速度算出手段１３が算出した移動速度に応じた数の周辺情報を抽出し、表示制御手段１５は、周辺情報の数に応じて、表示手段１６に周辺情報を表示させる態様を変化させる。これにより、例えば、ユーザが歩いているときは周辺情報の数が少なくても、詳細な情報を表示し、ユーザが車両で移動しているとき（歩いているときより、速い速度で移動しているとき）は、情報の内容を簡易にし、より多くの周辺情報を表示することが可能となるので、ユーザにとって、より有用な情報を表示することが可能となる。
【００９８】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。なお、上記の実施形態では、本発明を物の発明として、周辺情報表示装置について説明したが、本発明において周辺情報表示装置が実行する方法及び周辺情報表示装置を各種手段として機能させるプログラムの発明と捉えることもできる。
【符号の説明】
【００９９】
１,１Ａ  周辺情報表示装置
１０  周辺情報抽出システム１０
１１  利用情報取得手段
１２  位置情報取得手段
１３  移動速度算出手段
１４  抽出手段
１５  表示制御手段
１６  表示手段
１７  表示装置送信手段
１８  表示装置受信手段
２０  検索履歴情報ＤＢ
３０  利用履歴情報ＤＢ
１００  周辺情報抽出サーバ
１１０  受信手段
１３０  移動速度算出手段
１４０  抽出手段
１５０  送信手段
【図１】
2019125029.tif 000003
【図２】
2019125029.tif 000004
【図３】
2019125029.tif 000005
【図４】
2019125029.tif 000006
【図５】
2019125029.tif 000007
【図６】
2019125029.tif 000008
【図７】
2019125029.tif 000009
【図８】
2019125029.tif 000010
【図９】
2019125029.tif 000011
【図１０】
2019125029.tif 000012
【図１１】
2019125029.tif 000013
【図１２】
2019125029.tif 000014